(57)【要約】【課題】一枚のブランクをサック貼りした状態で納入することができ、さらには組立て作業が簡単で物流面からも効率的である二次曲面カートンを提供する。【解決手段】各蓋パネル１０〜１３は、矩形の四隅を丸くカットした形状で、周囲が交互に繋がる４つの直線部と４つの曲線部とで構成され、前後側面２，４パネルに接続する直線部とその両側の曲線部とを合わせた長さが前後パネル２，４の横幅に対応し、前後側面パネル２，４の側辺に平行な直線部の長さが左右側面パネル１，３の横幅に対応しており、各前後側面パネル２，４の上下には連設する蓋パネル１０〜１３の曲線部との間の空間に突き出る出っ張り２ａ，２ｂ，４ａ，４ｂが設けられており、蓋パネル１０〜１３を前後側面パネル４に対して内側に折り曲げ、出っ張りの内側に沿わせて嵌入することにより、前後側面パネル２，４が蓋パネルの形状に合った二次曲面を形成する。【選択図】図２
2014015221.tif 000002
【特許請求の範囲】
【請求項１】
互いに平行な折罫を介して連設する矩形状をした４つの側面パネル及び糊代片のうちの糊代片を反対側の側面パネルの裏側に糊付けして胴部が形成されており、一方の相対する２つの側面パネルが左右側面パネルになり、それらの上辺と下辺にそれぞれダストフラップが連設され、他方の相対する２つの側面パネルが前後側面パネルになり、そられの上辺と下辺にそれぞれ蓋パネルが連設されており、各蓋パネルは、矩形の四隅を丸くカットした形状で、周囲が交互に繋がる４つの直線部と４つの曲線部とで構成され、前後側面パネルに接続する直線部とその両側の曲線部とを合わせた長さが前後パネルの横幅に対応し、前後側面パネルの側辺と平行な直線部の長さが左右側面パネルの横幅に対応しており、各前後側面パネルの上下には連設する蓋パネルの曲線部との間の空間に突き出る出っ張りが設けられており、蓋パネルを前後側面パネルに対して内側に折り曲げ、出っ張りの内側に沿わせて嵌入することにより、前後側面パネルが蓋パネルの形状に合った二次曲面を形成していることを特徴とする二次曲面カートン。
【発明の詳細な説明】
【技術分野】
【０００１】
本発明は、スナック菓子、カツオ節、お茶の葉等の商品を収納して販売するためのカートンに係り、特に、販促効果を目的とした二次曲面を有する外観形状のカートンに関するものである。
【背景技術】
【０００２】
従来より、この種の商品を収納して販売するためのカートンとしては、通常は外観が直方体（立方体も含む）の形状をしたものが用いられている。ただ、直方体のカートンでは、印刷を施すにしても店頭での展示効果等に限界があることから、見た目で他の商品との差別化が図れるようにするために、二次曲面を有する外観形状をしたカートンが考えられている。
【０００３】
例えば、引用文献１に記載の包装用容器は、台紙の各長辺中央部に突設する円形突出片間に、台紙の各短辺に穿設した嵌入孔に対応する嵌入片を両側に突設した帯片を跨設接着し、嵌入片を嵌入孔に挿入して円筒状に封緘するようになっている。また、引用文献２に記載の容器は、対向する１組の面を凸状にそれぞれ湾曲し、他の対向する１組の面を凹状になるようにそれぞれ湾曲して、その凹状面に設けた係止部によって開閉する蓋部を形成するようにしている。
【先行技術文献】
【特許文献】
【０００４】
【特許文献１】実用新案登録第３０５９０６９号公報
【特許文献２】実開平３−９７０１７号公報
【発明の概要】
【発明が解決しようとする課題】
【０００５】
しかし、引用文献１に記載の包装用容器は、台紙と帯片の２部材で円筒体の包装用容器を構成するようになっており、かつ組立て作業は、嵌入片を嵌入孔に差し込まねばならないため非効率である。また、引用文献２に記載の容器は、一枚のブランクをサック貼りしたものを起函することで簡単に凹状面を形成することができるものの、蓋をする天部及び底部が凹状になるため、正面板、背面板が凸状の二次曲面となりはするものの、内容物を収納するには無駄な空間を作り出すので、物流面からすれば非効率である。
【０００６】
本発明は、このような問題点に鑑みてなされたものであり、その目的とするところは、一枚のブランクをサック貼りした状態で納入することができ、さらには組立て作業が簡単で物流面からも効率的である二次曲面カートンを提供することにある。
【課題を解決するための手段】
【０００７】
上記の目的を達成するため、本発明の二次曲面カートンは、互いに平行な折罫を介して連設する矩形状をした４つの側面パネル及び糊代片のうちの糊代片を反対側の側面パネルの裏側に糊付けして胴部が形成されており、一方の相対する２つの側面パネルが左右側面パネルになり、それらの上辺と下辺にそれぞれダストフラップが連設され、他方の相対する２つの側面パネルが前後側面パネルになり、そられの上辺と下辺にそれぞれ蓋パネルが連設されており、各蓋パネルは、矩形の四隅を丸くカットした形状で、周囲が交互に繋がる４つの直線部と４つの曲線部とで構成され、前後側面パネルに接続する直線部とその両側の曲線部とを合わせた長さが前後パネルの横幅に対応し、前後側面パネルの側辺に平行な直線部の長さが左右側面パネルの横幅に対応しており、各前後側面パネルの上下には連設する蓋パネルの曲線部との間の空間に突き出る出っ張りが設けられており、蓋パネルを前後側面パネルに対して内側に折り曲げ、出っ張りの内側に沿わせて嵌入することにより、前後側面パネルが蓋パネルの形状に合った二次曲面を形成していることを特徴としている。
【発明の効果】
【０００８】
本発明の二次曲面カートンは、一枚のブランクをサック貼りし、そのサック貼りした状態のものを起函して、中に商品を入れてから蓋パネルを順次折り曲げて組み立てるようになっているので、サック貼り状態で納入することができ、従来の二次曲面カートンに比べ、人手による箱詰め作業が簡単で作業性が良好であるし、さらには、内向きに湾曲させるような部位がなく、商品を入れる容積が大きいので物流面でも効率的である。
【図面の簡単な説明】
【０００９】
【図１】本発明に係る二次曲面カートンの一例を示す斜視図である。
【図２】図１の二次曲面カートンをを組み立てるブランクの展開図である。
【図３】図２のブランクをサック貼りした状態で示す平面図である。
【発明を実施するための形態】
【００１０】
次に、本発明の実施形態について図面を参照しながら詳細に説明する。
【００１１】
図１は本発明に係る二次曲面カートンＣの一例を示す斜視図であり、この二次曲面カートンＣは図２にその展開図を示すブランクＢを組み立てて形成される。
【００１２】
図２ブランクＢは、普通の紙器に用いられる板紙を打ち抜いて作成されたもので、図示のように、矩形状をした４つの側面パネル１〜４及び糊代片５が互いに平行な押罫を介してこの順で横方向に連設されている。
【００１３】
横幅が狭い方の側面パネル１，３は組立て時に左右側面パネルになるもので、これらの左右側面パネル１の上辺と下辺にはダストフラップ６，７がそれぞれ折罫を介して連設され、左右側面パネル３の上辺と下辺にはダストフラップ８，９がそれぞれ折罫を介して連設されている。また、横幅が大きい方の側面パネル２，４は組立て時に前後側面パネルになるもので、これらの前後側面パネル２の上辺と下辺には蓋パネルが１０，１１が折罫を介して連設され、前後側面パネル４の上辺と下辺には蓋パネルが１２，１３が折罫を介して連設されている。
【００１４】
各蓋パネル１０〜１３は、矩形の四隅を丸くカットした形状で、周囲が交互に繋がる４つの直線部と４つの曲線部とで構成されている。そして、前後側面パネル２，４に接続する直線部とその両側の曲線部とを合わせた長さが前後側面パネル２，４の横幅に対応しており、前後側面パネル２，４の側辺に平行な直線部の長さが左右側面パネル１，３の横幅に対応している。
【００１５】
前後側面パネル２の上部に連設する蓋パネル１０には、その先端側の直線部に差込み片１０ａが折罫を介して連設されており、この差込み片１０ａに対応して、もう一方の前後側面パネル４には、その上部に、差込み片１０ａを係止するための半円状で両端に反転した小さな半円部分のあるスリットαが形成されている。また、この前後側面パネル４の上部に連設する蓋パネル１２には、その先端側の直線部に突っ張り片１２ａが折罫を介して連設されている。この突っ張り片１２ａの根元には、折れ曲がったときに凸部が突き出るように小さな円弧状の切欠βが形成されている。
【００１６】
また、前後側面パネル２の上辺左右には連設する蓋パネル１０の曲線部との間の空間に突き出る出っ張り２ａが設けられ、下辺左右にも連設する蓋パネル１１の曲線部との間の空間に突き出る出っ張り２ｂが設けられている。同様に、前後側面パネル４の上辺左右には連設する蓋パネル１２の曲線部との間の空間に突き出る出っ張り４ａが設けられ、下辺左右にも連設する蓋パネル１３の曲線部との間の空間に突き出る出っ張り４ｂが設けられており、これらの出っ張り４ａ，４ｂは蓋パネル１２，１３との間に隙間を残して形成されている。ここでは、図示のように、各出っ張り２ａ，２ｂ，４ａ，４ｂを高さの低い台形状としている。
【００１７】
この図３に示すブランクＢを組み立てて図１に示す二次曲面カートンＣを形成するが、その手順としては、まず糊代片５を反対側の左右側面パネル１の先端裏側に貼り合わせて折り畳むことで、図３に示すようなサック貼り状態にする。そして、このようにサック貼り状態にしたものを小売店に送り、そこで手作業で組み立てて商品を箱詰めする。
【００１８】
商品を入れる箱詰め作業は、サック貼りされた状態のブランクを函に起こし、上部あるいは下部を組み立てて閉じ、商品を投入した後に残る上部あるいは下部の残った方を組み立てて閉じる手順で行う。これにより、図１に示す二次曲面カートンＣが形成される。
【００１９】
例えば、下部から閉じる場合は、函の起こしに続けて、左右側面パネル１，３のダストフラップ７，９を内側に倒し、次いで、前後側面パネル４の蓋パネル１３をその端部を前後側面パネル２の出っ張り２ｂ，２ｂの内側に沿わせるように倒し、それに続けて、前後側面パネル２の蓋パネル１１も同様にその端部を前後側面パネル４の出っ張り４ｂ，４ｂの内側に沿わせるようにして倒す。
【００２０】
このように下部を閉じてから、上部の開いた方から商品を投入した後、左右側面パネル１，３のダストフラップ６，８を内側に倒し、次いで、前後側面パネル４の蓋パネル１２をその端部を前後側面パネル２の出っ張り２ａ，２ａの内側に沿わせるように倒し、それに続けて、前後側面パネル２の蓋パネル１０も同様にその端部を前後側面パネル４の上部の出っ張り４ａ，４ａの内側に沿わせるようにして倒して上部を閉じる。
【００２１】
上部を閉じるに際し、内側に位置する蓋パネル１２は、その突っ張り片１２ａを上向きに折り曲げて、切欠βによる凸部が前後側面パネル２の内面に突っ張るようにする。また、外側に位置する蓋パネル１０は、その先端の差込み片１０ａを前後側面パネル４のスリットαに外側から差し込むようにする。このようにして組み立てることにより、前後側面パネル２，４は、図１に示すように、蓋パネル１０〜１３の曲線に合った二次曲面を形成する。そして、この二次曲面カートンＣでは、差込み片１０ａを取っ掛かりにして蓋パネル１０を持ち上げて開けることができる。
【００２２】
以上、本発明の実施の形態について詳細に説明してきたが、本発明による二次曲面カートンは、上記実施の形態に何ら限定されるものではなく、本発明の趣旨を逸脱しない範囲において種々の変更が可能であることは当然のことである。
【産業上の利用可能性】
【００２３】
本発明の二次曲面カートンは、板紙を用いて形成し、スナック菓子、カツオ節、お茶の葉等の比較的軽量の商品を収納して販売するために使用するのが好適であるが、その他の各種物品を収納するのに使用することも可能である。その場合、用途に応じてはプラスチックシートを用いて形成するようにしてもよい。
【符号の説明】
【００２４】
Ｃ  二次曲面カートン
Ｂ  ブランク
１，３  左右側面パネル
２，４  前後側面パネル
２ａ，２ｂ，４ａ，４ｂ  出っ張り
５  糊代片
６，７，８，９  ダストフラップ
１０，１１，１２，１３  蓋パネル
１０ａ  差込み片
１２ａ  突っ張り片
α  スリット
β  切欠
【図１】
2014015221.tif 000003
【図２】
2014015221.tif 000004
【図３】
2014015221.tif 000005